(57)【要約】【課題】制御部に異常が発生した場合でもエンジン部の単独動作によって画像を形成することができる画像形成装置を提供する。【解決手段】複合機１０では、エンジン部２５は制御部２１の動作正常時には、動作モードを制御部２１による制御を受けて動作する通常モードに切り替える。通常モードでは、エンジン部２５はスキャナ部２９から出力された画像データを第１画像処理部３１および第２画像処理部３２を経てプリンタ部３３に入力する第１経路に切り替えて通常コピー動作を実行する。制御部２１の動作異常時には、動作モードを制御部２１による制御を受けずに動作する故障モードに切り替える。故障モードでは、エンジン部２５はスキャナ部２９から出力された画像データを第２画像処理部３２のみを経てプリンタ部３３に入力する第２経路に切り替えて簡易コピー動作を実行する。【選択図】図２
2011082814.tif 000002
【特許請求の範囲】
【請求項１】
原稿の画像を光学的に読み取って画像データを取得し出力する読取部と、
入力された画像データに対して第１画像処理を実行し出力する第１画像処理部と、
入力された画像データに対して第２画像処理を実行し出力する第２画像処理部と、
入力された画像データに基づいて記録紙に画像を形成する画像形成部と、
前記読取部から出力された画像データを前記第１画像処理部を経て前記画像形成部に入力する第１経路と、前記読取部から出力された画像データを前記第１画像処理部を経ずに前記第２画像処理部を経て前記画像形成部に入力する第２経路とを切り替える経路切替部と、
前記読取部、前記第２画像処理部、前記画像形成部、および前記経路切替部を制御するエンジン部と、
前記第１画像処理部および前記エンジン部を制御して前記原稿の画像を複写する第１複写動作を実行する制御部と、
前記制御部の動作状態を監視する監視部と、
を備え、
前記エンジン部は、前記監視部で前記制御部の動作正常が確認された場合は、動作モードを前記制御部による制御を受けて動作する第１動作モードに切り替え、該第１動作モードでは前記経路切替部により前記第１経路に切り替え、前記監視部で前記制御部の動作異常が確認された場合は、動作モードを前記制御部による制御を受けずに動作する第２動作モードに切り替え、該第２動作モードでは前記経路切替部により前記第２経路に切り替えて当該エンジン部による制御で前記原稿の画像を複写する第２複写動作を実行する
ことを特徴とする画像形成装置。
【請求項２】
前記第１画像処理は、前記読取部から出力された画像データに対して、データ形式を前記画像形成部に適合するデータ形式に変換するデータ変換の画像処理と、該データ変換の画像処理以外の画像処理とを含み、
前記第２画像処理は、前記データ変換の画像処理を含む
ことを特徴とする請求項１に記載の画像形成装置。
【請求項３】
前記第１経路は、前記読取部から出力された画像データを前記第１画像処理部を経た後に前記第２画像処理部を経て前記画像形成部に入力する経路である
ことを特徴とする請求項１に記載の画像形成装置。
【請求項４】
前記第２画像処理は、前記読取部から出力された画像データに対して、データ形式を前記画像形成部に適合するデータ形式に変換するデータ変換の画像処理を含み、
前記第１画像処理は、前記データ変換の画像処理以外の画像処理を含む
ことを特徴とする請求項３に記載の画像形成装置。
【請求項５】
原稿の画像を光学的に読み取って画像データを取得し出力する読取部と、
入力された画像データに対して画像処理を実行し出力する画像処理部と、
入力された画像データに基づいて記録紙に画像を形成する画像形成部と、
前記読取部から出力された画像データを前記画像処理部を経て前記画像形成部に入力する第１経路と、前記読取部から出力された画像データを前記画像処理部を経ずに前記画像形成部に入力する第２経路とを切り替える経路切替部と、
前記読取部、前記画像形成部、および前記経路切替部を制御するエンジン部と、
前記画像処理部および前記エンジン部を制御して前記原稿の画像を複写する第１複写動作を実行する制御部と、
前記制御部の動作状態を監視する監視部と、
を備え、
前記エンジン部は、前記監視部で前記制御部の動作正常が確認された場合は、動作モードを前記制御部による制御を受けて動作する第１動作モードに切り替え、該第１動作モードでは前記経路切替部により前記第１経路に切り替え、前記監視部で前記制御部の動作異常が確認された場合は、動作モードを前記制御部による制御を受けずに動作する第２動作モードに切り替え、該第２動作モードでは前記経路切替部により前記第２経路に切り替えて当該エンジン部による制御で前記原稿の画像を複写する第２複写動作を実行する
ことを特徴とする画像形成装置。
【請求項６】
前記エンジン部は、前記第２複写動作に係る制御を行う複写動作制御部を備え、
前記エンジン部のプログラムは、前記第１動作モードでは前記複写動作制御部を無効にし、前記第２動作モードでは前記複写動作制御部を有効にする切り替えを行う
ことを特徴とする請求項１〜５のいずれか１項に記載の画像形成装置。
【請求項７】
前記制御部のプログラムは、第１オペレーティングシステム上で動作するプログラムであり、
前記エンジン部のプログラムは、前記第１オペレーティングシステムとは異なる種類の第２オペレーティングシステム上で動作するプログラムである
ことを特徴とする請求項１〜６のいずれか１項に記載の画像形成装置。
【請求項８】
前記エンジン部のプログラムは、オペレーティングシステムを介さずに動作するプログラムである
ことを特徴とする請求項１〜６のいずれか１項に記載の画像形成装置。
【請求項９】
前記読取部に対する前記原稿のセットの有無を検知する検知部を備え、
前記エンジン部は、前記第２動作モードでは、前記検知部で前記原稿のセット有りが検知されると前記第２複写動作の実行を開始する
ことを特徴とする請求項１〜８のいずれか１項に記載の画像形成装置。
【請求項１０】
操作部と、
前記エンジン部に制御されて前記操作部の制御元を前記制御部または前記エンジン部に切り替える操作制御切替部とを備え、
前記エンジン部は、前記第１動作モードでは、前記操作部の制御元を前記操作制御切替部により前記制御部に切り替え、前記第２動作モードでは、前記操作部の制御元を前記操作制御切替部により前記エンジン部に切り替える
ことを特徴とする請求項１〜９のいずれか１項に記載の画像形成装置。
【請求項１１】
前記第２動作モードにて前記エンジン部の動作に係る操作を受け付ける第２動作モード用操作部を備える
ことを特徴とする請求項１〜１０のいずれか１項に記載の画像形成装置。
【請求項１２】
表示部と、
前記エンジン部に制御されて前記表示部の制御元を前記制御部または前記エンジン部に切り替える表示制御切替部とを備え、
前記エンジン部は、前記第１動作モードでは、前記表示部の制御元を前記表示制御切替部により前記制御部に切り替え、前記第２動作モードでは、前記表示部の制御元を前記表示制御切替部により前記エンジン部に切り替える
ことを特徴とする請求項１〜１１のいずれか１項に記載の画像形成装置。
【請求項１３】
前記エンジン部は、前記第２動作モードでは、前記表示部に異常発生状態であることを表示させる
ことを特徴とする請求項１２に記載の画像形成装置。
【請求項１４】
前記エンジン部は、前記第２動作モードでは、前記表示部に前記第２複写動作の処理条件を表示させる
ことを特徴とする請求項１２または１３に記載の画像形成装置。
【請求項１５】
前記エンジン部は、前記第２動作モードでは、前記表示部に前記第２複写動作における複写画像の画質および動作速度のうちの少なくとも一方が前記第１複写動作よりも低下することを表示させる
ことを特徴とする請求項１２〜１４のいずれか１項に記載の画像形成装置。
【請求項１６】
前記エンジン部は、前記監視部を含んだ構成とされる
ことを特徴とする請求項１〜１５のいずれか１項に記載の画像形成装置。
【発明の詳細な説明】
【技術分野】
【０００１】
本発明は、異常が発生した場合でも画像を形成することができる画像形成装置に関する。
【背景技術】
【０００２】
近年の複写機や複合機などは、汎用のオペレーティングシステムが搭載されたコンピュータを制御システムに用いるものが多くなっており、ネットワークにも対応している。これらの複写機や複合機などは、コンピュータウイルスに感染する危険性が高まっており、ウイルス感染が原因で制御プログラムが起動できなくなると動作不能に陥る可能性がある。また、制御対象のブロックに異常が発生した場合なども動作不能になる可能性がある。そこで、これらの異常が発生した場合でも動作を可能とする技術が考案されている。
【０００３】
制御対象のブロックの異常に対応した技術としては、たとえば、単一の制御部（動作制御部）を備えた複写機（電子複写装置）において、走査部や光学冷却ファンなどの主要なブロックの異常を異常検知部で検知するように構成し、異常が発生したブロックに応じて機能を制限した複写動作を可能とする技術がある（特許文献１参照）。
【０００４】
また、制御部の異常に対応した技術としては、たとえば、駐車場における車両の入出庫に使用される車両制御システムにおいて、車両が載置されるパレットの駆動部やセンサを制御して実際の入出庫に係る制御を行うサブ制御部（スペース制御部）をパレット毎に設け、この複数のサブ制御部をメイン制御部（メイン制御装置）で制御する構成とすることにより、メイン制御部が故障してもサブ制御部を手動により動作させて車両の入出庫を行うことができるようにした技術がある（特許文献２参照）。
【先行技術文献】
【特許文献】
【０００５】
【特許文献１】特開平８−１７１３１４号公報
【特許文献２】特開平５−２０５９８号公報
【発明の概要】
【発明が解決しようとする課題】
【０００６】
しかしながら、特許文献１の技術では、複写機内の各ブロックから異常が検知されず、各ブロックは正常に動作できる状態であっても、制御部に異常が発生すると複写動作を全く行えなくなる問題がある。また特許文献２の技術は、実際の動作に係る全ての制御をサブ制御部が行う構成となっているが、この技術を画像形成装置に適用した場合には、サブ制御部に相当するエンジン部のプログラムや回路が肥大化および複雑化する問題がある。
【０００７】
一方、特に多数の機能や複雑な処理に係る制御を行う複合機などの制御システムでは、制御の効率化を図る上では単一の制御部で全ての制御を賄うのではなく、複数の制御部で制御を分担することが望ましい。この場合に、メイン制御部に異常が発生して動作不能になり、コピー（複写）などが全く利用できなくなってしまうのは不便である。また、実際の画像形成動作（複写動作）に係る制御を行うエンジン部に画像処理に係る制御なども集中させると、上述したエンジン部のプログラムの肥大化などに加えて制御効率の低下も招くことになるため、制御配分を考慮する必要がある。たとえば、画像処理に係る制御をメイン制御部とエンジン部で分担すればこれらの不具合は改善することができ、その上で上記のようにメイン制御部に異常が発生した場合でもコピーなどを利用できることが望まれる。
【０００８】
本発明は、上記の問題を解決しようとするものであり、制御部に異常が発生した場合でもエンジン部の単独動作によって画像を形成することができる画像形成装置を提供することを目的としている。
【課題を解決するための手段】
【０００９】
かかる目的を達成するための本発明の要旨とするところは、次の各項の発明に存する。
【００１０】
［１］原稿の画像を光学的に読み取って画像データを取得し出力する読取部と、
入力された画像データに対して第１画像処理を実行し出力する第１画像処理部と、
入力された画像データに対して第２画像処理を実行し出力する第２画像処理部と、
入力された画像データに基づいて記録紙に画像を形成する画像形成部と、
前記読取部から出力された画像データを前記第１画像処理部を経て前記画像形成部に入力する第１経路と、前記読取部から出力された画像データを前記第１画像処理部を経ずに前記第２画像処理部を経て前記画像形成部に入力する第２経路とを切り替える経路切替部と、
前記読取部、前記第２画像処理部、前記画像形成部、および前記経路切替部を制御するエンジン部と、
前記第１画像処理部および前記エンジン部を制御して前記原稿の画像を複写する第１複写動作を実行する制御部と、
前記制御部の動作状態を監視する監視部と、
を備え、
前記エンジン部は、前記監視部で前記制御部の動作正常が確認された場合は、動作モードを前記制御部による制御を受けて動作する第１動作モードに切り替え、該第１動作モードでは前記経路切替部により前記第１経路に切り替え、前記監視部で前記制御部の動作異常が確認された場合は、動作モードを前記制御部による制御を受けずに動作する第２動作モードに切り替え、該第２動作モードでは前記経路切替部により前記第２経路に切り替えて当該エンジン部による制御で前記原稿の画像を複写する第２複写動作を実行する
ことを特徴とする画像形成装置。
【００１１】
上記発明では、エンジン部は、制御部の動作正常が確認された場合には、自身の動作モードを制御部による制御を受けて動作する第１動作モードに切り替える。第１動作モードでは、エンジン部は読取部から出力された画像データ（原稿の画像を読取部が光学的に読み取って取得した画像データ）を、第１画像処理部を経て画像形成部に入力する第１経路に切り替える。この場合は、制御部は第１画像処理部およびエンジン部を制御して原稿の画像を複写する第１複写動作を実行する。
【００１２】
またエンジン部は、制御部の動作異常が確認された場合には、自身の動作モードを制御部による制御を受けずに動作する第２動作モードに切り替える。第２動作モードでは、エンジン部は読取部から出力された画像データを、第１画像処理部を経ずに第２画像処理部を経て画像形成部に入力する第２経路に切り替え、エンジン部自身による制御（単独動作）で原稿の画像を複写する第２複写動作を実行する。
【００１３】
これにより、制御部に異常が発生した場合に、第１画像処理部による第１画像処理は省略されるものの、エンジン部単独で複写動作を実行し、原稿の画像の複写画像を形成することができる。
【００１４】
なお、第１画像処理部は、制御部とは個別のハードウェアで構成されてもよく、制御部によって動作するプログラムの１モジュール（ソフトウェア）で構成されてもよい。第２画像処理部も同様に、エンジン部とは個別のハードウェアで構成されてもよく、エンジン部によって動作するプログラムの１モジュール（ソフトウェア）で構成されてもよい。
【００１５】
［２］前記第１画像処理は、前記読取部から出力された画像データに対して、データ形式を前記画像形成部に適合するデータ形式に変換するデータ変換の画像処理と、該データ変換の画像処理以外の画像処理とを含み、
前記第２画像処理は、前記データ変換の画像処理を含む
ことを特徴とする［１］に記載の画像形成装置。
【００１６】
上記発明では、制御部の動作正常時に実行される第１複写動作では、第１画像処理として、読取部から出力された画像データに対し、データ形式を画像形成部に適合するデータ形式に変換するデータ変換の画像処理と、このデータ変換以外の画像処理とが実行される。データ変換以外の画像処理は、たとえば、画像データに対して付加価値を与える画像処理などでもよい。制御部の動作異常時に実行される第２複写動作では、第２画像処理として、上記のデータ変換の画像処理が実行される。
【００１７】
これにより、第１および第２のいずれの複写動作においても、読取部から出力された画像データは画像形成部に適合するデータ形式に変換されて画像形成部に入力されるようになり、画像形成部はこの画像データに基づいて記録紙に画像を形成することができる。また第２複写動作では、データ変換以外の画像処理（付加価値を与える画像処理など）は省略されるものの、画像形成部は入力された画像データに基づいて記録紙に画像を形成することができる。
【００１８】
［３］前記第１経路は、前記読取部から出力された画像データを前記第１画像処理部を経た後に前記第２画像処理部を経て前記画像形成部に入力する経路である
ことを特徴とする［１］に記載の画像形成装置。
【００１９】
上記発明では、制御部の動作正常時に実行される第１複写動作では、画像データに対して第１画像処理と第２画像処理が実行される。制御部の動作異常時に実行される第２複写動作では、画像データに対して第１画像処理が省略され第２画像処理のみが実行される。またこの構成では、第１複写動作にて第１画像処理と第２画像処理を実行する場合に、第１画像処理部にその両方の画像処理機能を備える必要がないため、第１画像処理部を簡素に構成することができる。
【００２０】
［４］前記第２画像処理は、前記読取部から出力された画像データに対して、データ形式を前記画像形成部に適合するデータ形式に変換するデータ変換の画像処理を含み、
前記第１画像処理は、前記データ変換の画像処理以外の画像処理を含む
ことを特徴とする請求項３に記載の画像形成装置。
【００２１】
上記発明では、制御部の動作正常時に実行される第１複写動作では、読取部から出力された画像データに対して、データ形式を画像形成部に適合するデータ形式に変換するデータ変換以外の画像処理（第１画像処理）と、そのデータ変換の画像処理（第２画像処理）とが実行される。データ変換以外の画像処理は、たとえば、画像データに対して付加価値を与える画像処理などでもよい。制御部の動作異常時に実行される第２複写動作では、上記のデータ変換の画像処理（第２画像処理）が実行される。
【００２２】
これにより、第１および第２のいずれの複写動作においても、読取部から出力された画像データは画像形成部に適合するデータ形式に変換されて画像形成部に入力されるようになり、画像形成部はこの画像データに基づいて記録紙に画像を形成することができる。また第２複写動作では、データ変換以外の画像処理（付加価値を与える画像処理など）は省略されるものの、画像形成部は入力された画像データに基づいて記録紙に画像を形成することができる。
【００２３】
［５］原稿の画像を光学的に読み取って画像データを取得し出力する読取部と、
入力された画像データに対して画像処理を実行し出力する画像処理部と、
入力された画像データに基づいて記録紙に画像を形成する画像形成部と、
前記読取部から出力された画像データを前記画像処理部を経て前記画像形成部に入力する第１経路と、前記読取部から出力された画像データを前記画像処理部を経ずに前記画像形成部に入力する第２経路とを切り替える経路切替部と、
前記読取部、前記画像形成部、および前記経路切替部を制御するエンジン部と、
前記画像処理部および前記エンジン部を制御して前記原稿の画像を複写する第１複写動作を実行する制御部と、
前記制御部の動作状態を監視する監視部と、
を備え、
前記エンジン部は、前記監視部で前記制御部の動作正常が確認された場合は、動作モードを前記制御部による制御を受けて動作する第１動作モードに切り替え、該第１動作モードでは前記経路切替部により前記第１経路に切り替え、前記監視部で前記制御部の動作異常が確認された場合は、動作モードを前記制御部による制御を受けずに動作する第２動作モードに切り替え、該第２動作モードでは前記経路切替部により前記第２経路に切り替えて当該エンジン部による制御で前記原稿の画像を複写する第２複写動作を実行する
ことを特徴とする画像形成装置。
【００２４】
上記発明では、エンジン部は、制御部の動作正常が確認された場合には、自身の動作モードを制御部による制御を受けて動作する第１動作モードに切り替える。第１動作モードでは、エンジン部は読取部から出力された画像データ（原稿の画像を読取部が光学的に読み取って取得した画像データ）を、画像処理部を経て画像形成部に入力する第１経路に切り替える。この場合は、制御部は画像処理部およびエンジン部を制御して原稿の画像を複写する第１複写動作を実行する。
【００２５】
またエンジン部は、制御部の動作異常が確認された場合には、自身の動作モードを制御部による制御を受けずに動作する第２動作モードに切り替える。第２動作モードでは、エンジン部は読取部から出力された画像データを、画像処理部を経ずに画像形成部に入力する第２経路に切り替え、エンジン部自身による制御（単独動作）で原稿の画像を複写する第２複写動作を実行する。
【００２６】
これにより、制御部に異常が発生した場合に、画像処理部による画像処理は省略されるものの、エンジン部単独で複写動作を実行し、原稿の画像の複写画像を形成することができる。
【００２７】
なお、画像処理部は、制御部とは個別のハードウェアで構成されてもよく、制御部によって動作するプログラムの１モジュール（ソフトウェア）で構成されてもよい。
【００２８】
［６］前記エンジン部は、前記第２複写動作に係る制御を行う複写動作制御部を備え、
前記エンジン部のプログラムは、前記第１動作モードでは前記複写動作制御部を無効にし、前記第２動作モードでは前記複写動作制御部を有効にする切り替えを行う
ことを特徴とする［１］〜［５］のいずれか１項に記載の画像形成装置。
【００２９】
上記発明では、制御部の動作正常時（エンジン部の第１動作モード時）にはエンジン部のプログラムが複写動作制御部を無効にすることで、エンジン部は制御部による制御を受けて第１複写動作を実行する。制御部の動作異常時（エンジン部の第２動作モード時）にはエンジン部のプログラムが複写動作制御部を有効にすることで、エンジン部は制御部による制御を受けずに複写動作制御部による制御で第２複写動作を実行する。
【００３０】
［７］前記制御部のプログラムは、第１オペレーティングシステム上で動作するプログラムであり、
前記エンジン部のプログラムは、前記第１オペレーティングシステムとは異なる種類の第２オペレーティングシステム上で動作するプログラムである
ことを特徴とする［１］〜［６］のいずれか１項に記載の画像形成装置。
【００３１】
上記発明では、制御部のプログラムやオペレーティングシステム（第１オペレーティングシステム）がコンピュータウイルスに感染した場合に、エンジン部のプログラムやオペレーティングシステム（第２オペレーティングシステム）がそのコンピュータウイルスに感染する危険性を低下することができる。これにより、制御部のウイルス感染による動作異常時にエンジン部をそのウイルス感染から保護して正常に動作させることができる。
【００３２】
［８］前記エンジン部のプログラムは、オペレーティングシステムを介さずに動作するプログラムである
ことを特徴とする［１］〜［６］のいずれか１項に記載の画像形成装置。
【００３３】
上記発明では、たとえば、制御部のプログラムやオペレーティングシステムがコンピュータウイルスに感染した場合に、エンジン部のプログラムがそのコンピュータウイルスに感染する危険性を低下することができる。これにより、制御部のウイルス感染による動作異常時にエンジン部をそのウイルス感染から保護して正常に動作させることができる。また、エンジン部用のオペレーティングシステムが不要であるためエンジン部の制御システムの構成を簡素化することができる。
【００３４】
［９］前記読取部に対する前記原稿のセットの有無を検知する検知部を備え、
前記エンジン部は、前記第２動作モードでは、前記検知部で前記原稿のセット有りが検知されると前記第２複写動作の実行を開始する
ことを特徴とする［１］〜［８］のいずれか１項に記載の画像形成装置。
【００３５】
上記発明では、たとえば、画像形成装置の操作部を制御部が制御する構成の場合、制御部の動作異常時には操作部が正常に動作しなくなってしまうが、読取部に原稿をセットするだけでエンジン部が自動的に第２複写動作の実行を開始するため、操作部が動作不能となっても複写可能である。また、エンジン部に操作部を制御するためのプログラムなどを組み込む必要がないため、エンジン部の制御システムの構成を簡素化することができる。
【００３６】
［１０］操作部と、
前記エンジン部に制御されて前記操作部の制御元を前記制御部または前記エンジン部に切り替える操作制御切替部とを備え、
前記エンジン部は、前記第１動作モードでは、前記操作部の制御元を前記操作制御切替部により前記制御部に切り替え、前記第２動作モードでは、前記操作部の制御元を前記操作制御切替部により前記エンジン部に切り替える
ことを特徴とする［１］〜［９］のいずれか１項に記載の画像形成装置。
【００３７】
上記発明では、制御部の動作正常時（エンジン部の第１動作モード時）には制御部が操作部を制御することで、操作部を正常に使用することができる。制御部の動作異常時（エンジン部の第２動作モード時）にはエンジン部が操作部を制御することで、操作部を正常に使用することができる。このように、制御部の動作異常時でも操作部が使用できることで、利便性が向上する。また、制御部の動作異常時のみエンジン部が操作部を制御することで、制御部の動作正常時におけるエンジン部の制御負荷を低減することができる。
【００３８】
［１１］前記第２動作モードにて前記エンジン部の動作に係る操作を受け付ける第２動作モード用操作部を備える
ことを特徴とする［１］〜［１０］のいずれか１項に記載の画像形成装置。
【００３９】
上記発明では、制御部の動作異常時（エンジン部の第２動作モード時）には、第２動作モード用操作部を操作してエンジン部を動作させることができる。この第２動作モード用操作部は、［１０］の操作部とは異なる操作部によって構成してもよい（専用操作部／個別操作部）。また、［１０］の操作部と同一の操作部によって構成したり、［１０］の操作部に含まれる一部の操作部（たとえば、複数の操作ボタンのうちの一部の操作ボタン）によって構成したりしてもよい（共通操作部）。
【００４０】
［１２］表示部と、
前記エンジン部に制御されて前記表示部の制御元を前記制御部または前記エンジン部に切り替える表示制御切替部とを備え、
前記エンジン部は、前記第１動作モードでは、前記表示部の制御元を前記表示制御切替部により前記制御部に切り替え、前記第２動作モードでは、前記表示部の制御元を前記表示制御切替部により前記エンジン部に切り替える
ことを特徴とする［１］〜［１１］のいずれか１項に記載の画像形成装置。
【００４１】
上記発明では、制御部の動作正常時（エンジン部の第１動作モード時）には制御部が表示部を制御することで、表示部を正常に動作させることができる。制御部の動作異常時（エンジン部の第２動作モード時）にはエンジン部が表示部を制御することで、表示部を正常に動作させることができる。このように、制御部の動作異常時でも表示部が動作することで、利便性が向上する。また、制御部の動作異常時のみエンジン部が表示部を制御することで、制御部の動作正常時におけるエンジン部の制御負荷を低減することができる。
【００４２】
［１３］前記エンジン部は、前記第２動作モードでは、前記表示部に異常発生状態であることを表示させる
ことを特徴とする［１２］に記載の画像形成装置。
【００４３】
上記発明では、制御部の動作異常時（エンジン部の第２動作モード時）には、表示部に異常発生状態であることが表示されるため、ユーザは画像形成装置に異常が発生していることを容易に把握することができる。
【００４４】
［１４］前記エンジン部は、前記第２動作モードでは、前記表示部に前記第２複写動作の処理条件を表示させる
ことを特徴とする［１２］または［１３］に記載の画像形成装置。
【００４５】
上記発明では、制御部の動作異常時（エンジン部の第２動作モード時）には、表示部に現在実行できる複写動作（第２複写動作）の処理条件が表示されるため、ユーザはそのことを把握（納得）した上で複写を利用することができる。
【００４６】
［１５］前記エンジン部は、前記第２動作モードでは、前記表示部に前記第２複写動作における複写画像の画質および動作速度のうちの少なくとも一方が前記第１複写動作よりも低下することを表示させる
ことを特徴とする［１２］〜［１４］のいずれか１項に記載の画像形成装置。
【００４７】
上記発明では、制御部の動作異常時（エンジン部の第２動作モード時）には、表示部に現在実行できる複写動作（第２複写動作）における複写画像の画質や動作速度が通常の複写動作（第１複写動作）よりも低下することが表示されるため、ユーザはそのことを把握（納得）した上で複写を利用することができる。
【００４８】
［１６］前記エンジン部は、前記監視部を含んだ構成とされる
ことを特徴とする［１］〜［１５］のいずれか１項に記載の画像形成装置。
【００４９】
上記発明では、エンジン部に含まれた監視部が制御部の動作状態を監視するようになる。すなわち、実質的にエンジン部が制御部の動作状態を直接的に監視するようになり、制御部の動作状態に応じたエンジン部による制御（動作モードの切り替えなど）を迅速化することができる。
【発明の効果】
【００５０】
本発明の画像形成装置によれば、制御部に異常が発生した場合でもエンジン部の単独動作によって画像を形成することができる。したがって、制御部が異常であっても原稿の複写を行いたいユーザに対する利便性を向上することができる。
【図面の簡単な説明】
【００５１】
【図１】本発明の第１の実施形態に係る画像形成装置としての複合機と他機器とが通信回線を介して接続された全体の概略構成を示す全体構成図である。
【図２】本発明の第１の実施形態に係る複合機の概略構成を示すブロック図である。
【図３】複合機における第１画像処理部の機能構成を示す機能ブロック図である。
【図４】複合機における第２画像処理部の機能構成を示す機能ブロック図である。
【図５】複合機におけるエンジン部の機能構成を示す機能ブロック図である。
【図６】複合機のエンジン部における制御部監視部の動作を示す流れ図である。
【図７】複合機のエンジン部における動作モード切替部の通常モード移行動作を示す流れ図である。
【図８】複合機のエンジン部における動作モード切替部の故障モード移行動作を示す流れ図である。
【図９】複合機のエンジン部による制御部からのコマンド受信時の動作を示す流れ図である。
【図１０】複合機のエンジン部による原稿有り通知受信時の動作を示す流れ図である。
【図１１】複合機による制御部の動作正常時のコピー動作のシーケンスを示すシーケンス図である。
【図１２】複合機による制御部の動作異常時のコピー動作のシーケンスを示すシーケンス図である。
【図１３】複合機の表示部に表示される第１の実施形態に係る簡易コピー通知画面を示す図である。
【図１４】複合機の表示部に表示される第２の実施形態に係る簡易コピー通知画面を示す図である。
【発明を実施するための形態】
【００５２】
以下、図面に基づき本発明の実施形態を説明する。
【００５３】
［第１の実施形態］
図１は、本発明の第１の実施形態に係る画像形成装置としての複合機（Multi Function Peripheral/Multi Function Printer；ＭＦＰ）１０と、他機器（外部装置）とが通信回線２を介して接続された全体の概略構成を示す全体構成図である。他機器は、パーソナルコンピュータ（Personal Computer；ＰＣ）からなる端末１１と、ファクシミリ機１２と、他の複合機１３などである。通信回線２に接続された複合機１０（ＭＦＰ１）と他機器（ＰＣ、ＦＡＸ、ＭＦＰ２など）とは、通信回線２を通じて相互通信可能とされている。
【００５４】
複合機１０は、原稿の画像を光学的に読み取ってその複製画像を記録紙に印刷して出力するコピー機能、読み取った原稿の画像データをファイルにして保存したり端末１１やサーバなどへ送信したりするスキャン機能、端末１１から受信した印刷データに係る画像や当該複合機１０に保存されている画像データ（ファイル）に係る画像を記録紙に印刷して出力するプリンタ機能、ファクシミリ機１２や他の複合機１３などと画像データを送受信するファクシミリ機能、データ保存用に確保された記憶領域であるボックス（フォルダ）に上記の各種の画像データを保存するボックス機能などを備えている。
【００５５】
また複合機１０は、ユーザから上記の各種機能によるジョブの設定および実行指示（開始指示）の操作を、ユーザインタフェース部として構成された操作パネルによって受け付ける機能を備えている。上記の各種機能によるジョブは、たとえば、コピージョブ、スキャンジョブ、プリントジョブ、ファクシミリジョブ、ボックスジョブなどである。ジョブの設定では、たとえばコピージョブの場合には、記録紙サイズ（Ａ４、Ａ３など）、倍率（等倍、１／Ｎ倍〜Ｎ倍など）、モノクロ／カラー、片面／両面、Ｎｉｎ１（２ｉｎ１、４ｉｎ１など）、部数などの項目（パラメータ）に関する設定を受け付けるようになっている。
【００５６】
さらに複合機１０は、当該複合機１０の全体動作を統括制御する制御部と、制御部からの指示でスキャナ部やプリンタ部などを制御し、コピーやプリントといった印刷（画像形成）に係る動作を制御するエンジン部とを備えており（図２参照）、制御部の動作異常時にはエンジン部単独でコピー動作（複写動作）を実行する機能を備えている。
【００５７】
詳細には、複合機１０は、制御部によって制御されると共に入力された画像データに対して第１画像処理を実行し出力する第１画像処理部と、エンジン部によって制御されると共に入力された画像データに対して第２画像処理を実行し出力する第２画像処理部と、スキャナ部が読み取った原稿の画像データを第１画像処理部および第２画像処理部を経てプリンタ部に入力する第１経路または同画像データを第２画像処理部のみを経てプリンタ部に入力する第２経路に切り替える画像経路切替部（経路切替部）とを備えている。エンジン部は、制御部の動作正常時には、自身の動作モードを制御部による制御を受けて動作する通常モード（第１動作モード）に切り替え、該通常モードでは画像経路切替部により第１経路に切り替える。この場合は、制御部は第１画像処理部およびエンジン部を制御して原稿の画像を複写する通常コピー動作（第１複写動作）を実行する。またエンジン部は、制御部の動作異常時には、自身の動作モードを制御部による制御を受けずに動作する故障モード（第２動作モード）に切り替え、該故障モードでは画像経路切替部により第２経路に切り替え、エンジン部自身による制御（単独動作）で原稿の画像を複写する簡易コピー動作（第２複写動作）を実行するようになっている。
【００５８】
図２は、複合機１０の概略構成を示すブロック図である。複合機１０は、制御部２１と、エンジン部２５と、スキャナ部２９と、画像経路切替部３０と、第１画像処理部３１と、第２画像処理部３２と、プリンタ部３３と、ユーザインタフェース切替部３４と、ユーザインタフェース部（操作パネル）３５とを備えている。
【００５９】
制御部２１は、ＣＰＵ（Central Processing Unit）２２と、ＲＯＭ（Read Only Memory）２３と、ＲＡＭ（Random Access Memory）２４などを備えている。制御部２１のＣＰＵ２２は、ＲＯＭ２３に格納されているプログラムに基づいて複合機１０の全体動作を統括制御する。このプログラムは、汎用のオペレーティングシステム上で動作するプログラムとなっている。オペレーティングシステムは、たとえばＲＯＭ２３に格納されている。また、制御部２１が不揮発メモリを備えた構成であれは、その不揮発メモリにオペレーティングシステムを格納するようにしてもよい。
【００６０】
ＲＡＭ２４は、ＣＰＵ２２がプログラムを実行する際に各種データを一時的に格納するワークメモリとして使用されるほか、画像データを一時的に保存するための画像メモリなどにも使用される。制御部２１は、エンジン部２５とのコマンド通信によってエンジン部２５に制御指示を出したり、第１画像処理部３１を制御したり、ユーザインタフェース切替部３４を介してユーザインタフェース部３５を制御したりする。
【００６１】
エンジン部２５は、制御部２１とは別に、ＣＰＵ２６と、ＲＯＭ２７と、ＲＡＭ２８などを備えている。エンジン部２５のＣＰＵ２６は、ＲＯＭ２７に格納されているプログラムに基づいてスキャナ部２９と、画像経路切替部３０と、第２画像処理部３２と、プリンタ部３３と、ユーザインタフェース切替部３４と、ユーザインタフェース切替部３４を介してユーザインタフェース部３５とを制御する。このプログラムは、制御部２１のプログラムとは個別のプログラムであり、制御部２１のオペレーティングシステムとは異なる種類のオペレーティングシステム（たとえば、専用のオペレーティングシステム）上で動作するプログラムとなっている。オペレーティングシステムは、たとえばＲＯＭ２７に格納されている。また、エンジン部２５が不揮発メモリを備えた構成であれは、その不揮発メモリにオペレーティングシステムを格納するようにしてもよい。
【００６２】
ＲＡＭ２８は、ＣＰＵ２６がプログラムを実行する際に各種データを一時的に格納するワークメモリとして使用されるほか、画像データを一時的に保存するための画像メモリなどにも使用される。
【００６３】
スキャナ部２９は、エンジン部２５の指示に従って、原稿を光学的に読み取って画像データを取得する。スキャナ部２９は、プラテンガラス上にセットされた原稿に対し、ラインイメージセンサによるライン単位の読取位置を原稿の長さ方向に順次移動させて読み取る機能と、自動原稿搬送装置が原稿トレイにセットされた原稿を１枚ずつ自動搬送して所定の読取位置を通過移動させるのに対し、その移動する原稿をラインイメージセンサで読み取る機能とを備えている。本実施形態のスキャナ部２９は、この自動原稿搬送装置を含んで構成されている。
【００６４】
スキャナ部２９は、たとえば、プラテンガラス上にセットされた原稿を検知する原稿センサと、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。ラインイメージセンサは、たとえば、インターライン型ＣＣＤ（Charge Coupled Device）イメージセンサなどで構成されている。
【００６５】
また、スキャナ部２９に含まれる自動原稿搬送装置は、たとえば、原稿がセットされる原稿トレイと、原稿トレイにセットされた原稿を検知する原稿センサと、原稿トレイの原稿を所定の読取位置を通過させて排出するための原稿搬送路と、原稿トレイの原稿を１枚ずつ送り出し原稿搬送路に沿って搬送する複数の搬送ローラおよびその駆動モータと、原稿搬送路を搬送される原稿の位置を検知する複数の原稿搬送センサなどを備えて構成される。
【００６６】
画像経路切替部３０は、エンジン部２５の指示に従って、スキャナ部２９から出力される画像データの入力先を第１画像処理部３１または第２画像処理部３２に切り替える。第１画像処理部３１から出力される画像データは第２画像処理部３２に入力され、第２画像処理部３２から出力される画像データはプリンタ部３３に入力されるようになっている。
【００６７】
詳細には、画像経路切替部３０はエンジン部２５の指示に従って、スキャナ部２９から出力される画像データを第１画像処理部３１および第２画像処理部３２を経てプリンタ部３３に入力する第１経路、または、スキャナ部２９から出力される画像データを第２画像処理部３２のみを経てプリンタ部３３に入力する第２経路に切り替える。
【００６８】
第１画像処理部３１は、制御部２１の指示に従って、入力された画像データに対して、画像の回転、画像の拡大／縮小、画像の画質補正などの付加価値を与える画像処理（第１画像処理）を実行し出力する。本実施形態では、第１画像処理部３１は制御部２１のＣＰＵ２２によって動作するプログラムの１モジュールで構成されている。なお、第１画像処理部３１はこのようなソフトウェアで構成する他に、ＡＳＩＣ（Application Specific Integrated Circuit）などのハードウェアで構成するようにしてもよい。
【００６９】
第２画像処理部３２は、エンジン部２５の指示に従って、入力された画像データに対して、データ形式をプリンタ部３３の入力Ｉ／Ｆ（Interface）に適合するデータ形式（ビデオ出力形式）に変換するなどの画像処理（第２画像処理）を実行し出力する。このデータ変換の画像処理は、スキャナ部２９から出力される画像データ（画像信号）の形式と、プリンタ部３３へ入力される画像データ（画像信号）の形式が異なる場合に必須となる処理である。本実施形態では、第２画像処理部３２はハードウェアで構成されている。なお、第２画像処理部３２はこのようなハードウェアで構成する他に、エンジン部２５のＣＰＵ２６によって動作するプログラムの１モジュールで構成するようにしてもよい。
【００７０】
この第１画像処理部３１および第２画像処理部３２と、エンジン部２５における機能ブロックの詳細については後述する。
【００７１】
プリンタ部３３は、エンジン部２５の指示に従って、画像データに基づく画像を電子写真プロセスによって記録紙上に形成して出力する。プリンタ部３３は、たとえば、記録紙の給紙搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００７２】
また給紙搬送装置は、たとえば、印刷用の記録紙が積載される複数の給紙トレイと、給紙トレイに積載された記録紙を検知する記録紙センサと、給紙トレイの記録紙を所定の画像形成位置（トナー画像の転写位置および加熱定着位置）を通過させて排出するための記録紙搬送路と、記録紙トレイの記録紙を１枚ずつ送り出し記録紙搬送路に沿って搬送する複数の搬送ローラおよびその駆動モータと、記録紙搬送路を搬送される記録紙の位置を検知する複数の記録紙搬送センサなどを備えて構成される。
【００７３】
ユーザインタフェース切替部３４は、エンジン部２５の指示に従って、ユーザインタフェース部３５の制御元を制御部２１またはエンジン部２５に切り替える。
【００７４】
ユーザインタフェース部３５は、ユーザとのインタフェースとしての機能を果たす表示部３６および操作部３７を備えている。表示部３６は、液晶ディスプレイなどで構成され、操作画面、設定画面、確認画面、通知画面などの各種の画面を表示する。操作部３７は、スタートキー、ストップキー、テンキーなどの各種のハードキーと、液晶ディスプレイの表面に設けられて押下された座標位置を検出するタッチパネルなどで構成され、ユーザが複合機１０に対して行う各種の操作を受け付ける。
【００７５】
また複合機１０は、図示しないハードディスク装置と、ファクシミリ通信部と、ネットワーク通信部なども備えている。これらの各ブロックは、制御部２１によって制御される。
【００７６】
ハードディスク装置は、各種の保存データを格納するほか、原稿のスキャンやコピーにおいて原稿を読み取って取得された画像データ、端末１１から受信して依頼されたプリントジョブに含まれている印刷データ（画像データ）、ファクシミリ受信した画像データなども保存する。ハードディスク装置には、これらの各種画像データを保存するボックスが設けられる。なお、制御部２１のオペレーティングシステムは、制御部２１の内部ではなくこのハードディスク装置に格納するようにしてもよい。
【００７７】
ファクシミリ通信部は、ファクシミリ機能を備えた外部装置と公衆回線（通信回線２）を通じて画像データを送受信する。ネットワーク通信部は、ＬＡＮ（Local Area Network）などのネットワーク（通信回線２）を通じて外部装置と通信を行う。
【００７８】
また図２では、スキャナ部２９から出力されてプリンタ部３３に入力されるまでの経路（第１経路／第２経路）を通る画像信号（画像データ）をａ〜ｅの符号を付して示している。ここでは、この画像信号ａ〜ｅについても説明する。
【００７９】
スキャナ部２９から出力されて画像経路切替部３０に入力される画像信号ａは、ビットマップ形式の画像信号である。画像経路切替部３０から出力されて第１画像処理部３１に入力される画像信号ｂと、画像経路切替部３０から出力されて第２画像処理部３２に入力される画像信号ｄとは、画像信号ａと同じ信号である。第１画像処理部３１から出力されて第２画像処理部３２に入力される画像信号ｃは、元の画像信号ｂに対して第１画像処理部３１が回転、拡大／縮小、画質補正などの画像処理を施したビットマップ形式の画像信号である。第２画像処理部３２から出力されてプリンタ部３３に入力される画像信号ｅは、元のビットマップの画像信号ｃまたは画像信号ｄに対して第２画像処理部３２がスクリーン処理を施し、ビデオ出力形式に変換した画像信号である。スクリーン処理は、たとえば、ビットマップ画像のピクセルを印刷トナーのドット径に変換する処理である。
【００８０】
図３は、第１画像処理部３１の機能構成を示す機能ブロック図である。第１画像処理部３１の各機能ブロックは、Ｎｉｎ１コピー機能や高画質化など、複合機１０が提供する機能をより高める役割（原稿に対して付加価値を与える役割）を有している。
【００８１】
第１画像処理部３１は、拡大／縮小部５１と、レイアウト部５２と、回転部５３と、ガンマ補正部５４と、エッジ補正部５５と、色調補正部５６と、図形描画部５７と、文字処理部５８といった各機能ブロックを備えている。
【００８２】
拡大／縮小部５１は、ジョブの設定に応じて、入力画像の拡大および縮小を行う。レイアウト部５２は、ジョブの設定に応じて、入力画像のレイアウトを行う。回転部５３は、ジョブの設定に応じて、入力画像の回転を行う。ガンマ補正部５４は、ジョブの設定に応じて、入力画像のガンマ補正を行う。エッジ補正部５５は、ジョブの設定に応じて、入力画像のエッジ補正を行う。色調補正部５６は、ジョブの設定に応じて、入力画像の色調補正を行う。図形描画部５７は、ジョブの設定に応じて、入力画像への図形描画を行う。図形描画は、たとえば、Ｎｉｎ１コピーにおける枠線などの描画である。文字処理部５８は、ジョブの設定に応じて、入力画像への文字処理（描画）を行う。文字処理は、たとえば、ページ番号や日付の印字などである。
【００８３】
図４は、第２画像処理部３２の機能構成を示す機能ブロック図である。第２画像処理部３２の各機能ブロックは、印刷される画像信号をプリンタ部３３が識別可能な形式に変換する役割（本実施形態ではビデオ出力形式に変換する役割）などを有している。
【００８４】
第２画像処理部３２は、スクリーン処理部５９と、ビデオ出力変換部６０といった各機能ブロックを備えている。
【００８５】
スクリーン処理部５９は、入力画像のスクリーン処理を行う。ビデオ出力変換部６０は、プリンタ部３３の入力に適合するよう、スクリーン処理後の画像信号をビデオ出力形式の画像信号（ビデオ出力信号）に変換する。
【００８６】
図５は、エンジン部２５の機能構成を示す機能ブロック図である。エンジン部２５は、プリンタ制御部６１と、スキャナ制御部６２と、画像処理制御部６３と、ユーザインタフェース制御部６４と、コマンド通信処理部６５と、制御部監視部６６と、コピー動作制御部６７と、画像経路管理部６８と、ユーザインタフェース管理部６９と、動作モード切替部７０といった各機能ブロックを備えている。
【００８７】
プリンタ制御部６１は、制御部２１またはコピー動作制御部６７の指示に従い、プリンタ部３３を制御する。スキャナ制御部６２は、制御部２１またはコピー動作制御部６７の指示に従い、スキャナ部２９を制御する。
【００８８】
画像処理制御部６３は、制御部２１またはコピー動作制御部６７の指示に従い、第２画像処理部３２を制御する。ユーザインタフェース制御部６４は、コピー動作制御部６７の指示に従い、ユーザインタフェース部３５を制御する。本実施形態では、ユーザインタフェース部３５における表示部３６と、操作部３７におけるタッチパネルのみが制御され、操作部３７におけるハードキーなどは制御対象外となっている。コマンド通信処理部６５は、制御部２１とのコマンド通信を処理する。
【００８９】
制御部監視部６６は、コマンド通信を利用して制御部２１とチャレンジ／レスポンスを実行する。チャレンジ／レスポンスとは、動作確認の送信（チャレンジコマンド送信）とそれに対する応答の受信（レスポンスコマンド受信）である。コピー動作制御部６７は、故障モードにおいて、プリンタ部３３と、スキャナ部２９と、画像処理制御部６３と、ユーザインタフェース制御部６４とを制御して、コピーの実行に必要な一連の処理を実行する。
【００９０】
画像経路管理部６８は、動作モード切替部７０の指示に従い、画像経路切替部３０を制御する。詳細には、通常モードへの移行時には、画像経路切替部３０を制御して通常モードに対応する第１経路に切り替える。すなわち、スキャナ部２９から出力された画像データ（画像信号）を第１画像処理部３１に入力してその出力を第２画像処理部３２に入力し、その出力をプリンタ部３３に入力する経路に切り替える。故障モードへの移行時には、画像経路切替部３０を制御して故障モードに対応する第２経路に切り替える。すなわち、スキャナ部２９から出力された画像データ（画像信号）を第２画像処理部３２に入力し、その出力をプリンタ部３３に入力する経路に切り替える。
【００９１】
ユーザインタフェース管理部６９は、動作モード切替部７０の指示に従い、ユーザインタフェース切替部３４を制御する。詳細には、通常モードへの移行時には、ユーザインタフェース切替部３４を制御してユーザインタフェース部３５の制御元を制御部２１に切り替える。故障モードへの移行時には、ユーザインタフェース切替部３４を制御してユーザインタフェース部３５の制御元をエンジン部２５（ユーザインタフェース制御部６４）に切り替える。
【００９２】
動作モード切替部７０は、制御部監視部６６の指示に従い、エンジン部２５の動作モードを通常モードまたは故障モードに切り替える。
【００９３】
次に、複合機１０の動作について説明する。
【００９４】
本実施形態の複合機１０は、上述したように制御部２１が汎用のオペレーティングシステム上で動作するプログラムを起動して動作するようになっている。また、複合機１０はネットワークに対応しており、図１に示したように通信回線２を通じて端末１１や他の複合機１３などと相互通信可能とされている。
【００９５】
そのため、制御部２１のプログラムは、通信回線２を通じて外部から侵入したコンピュータウイルスに感染する危険性があり、ウイルス感染が原因でプログラムが起動できなくなると制御部２１は動作不能に陥る可能性がある。また、制御部２１が故障した場合などにも動作不能になる可能性がある。
【００９６】
制御部２１がこれらの要因で動作異常となった場合には、エンジン部２５は通常モードから故障モードに移行し、機能制限はあるものの、制御部２１の制御を受けずに単独でコピー動作を実行する。以下では、このエンジン部２５や複合機１０によるコピー動作について詳細に説明する。
【００９７】
図６は、エンジン部２５における制御部監視部６６の動作（チャレンジ／レスポンス処理）の流れを示す図である。制御部監視部６６は、複合機１０の動作中は本動作を所定の周期で繰り返し実行する。
【００９８】
制御部監視部６６は、本動作を開始すると（Ｓｔａｒｔ）、制御部２１に対してチャレンジコマンドを送信し（ステップＳ１０１）、制御部２１からのレスポンスを確認することで（ステップＳ１０２）、制御部２１の動作状態を監視する（ポーリング）。制御部２１からチャレンジコマンドに対するレスポンス有りが確認された場合には（ステップＳ１０２；Ｙｅｓ）、制御部監視部６６は制御部２１が動作正常であると判断し、モード移行通知（通常）を動作モード切替部７０へ送信し（ステップＳ１０３）、本動作を終了する（Ｅｎｄ）。
【００９９】
制御部２１からチャレンジコマンドに対するレスポンス無しが確認された場合には（ステップＳ１０２；Ｎｏ）、制御部監視部６６は、レスポンスの無い回数が所定回数に達したか否かを確認する（ステップＳ１０４）。この所定回数は、エラーを排除するために設けている。レスポンスの無い回数が所定回数未満の場合は（ステップＳ１０４；Ｎｏ）、ステップＳ１０１へ戻り、以下同様に繰り返す。レスポンスの無い回数が所定回数以上の場合は（ステップＳ１０４；Ｙｅｓ）、制御部監視部６６は制御部２１が動作異常であると判断し、モード移行通知（故障）を動作モード切替部７０へ送信し（ステップＳ１０５）、本動作を終了する（Ｅｎｄ）。
【０１００】
図７は、エンジン部２５における動作モード切替部７０の通常モード移行動作（モード移行通知（通常）受信処理）の流れを示す図である。動作モード切替部７０は、制御部監視部６６からモード移行通知（通常）を受信すると本動作を開始する。
【０１０１】
動作モード切替部７０は、本動作を開始すると（Ｓｔａｒｔ）、エンジン部２５の現状の動作モードを確認する（ステップＳ２０１）。
【０１０２】
複合機１０の電源投入直後などでエンジン部２５が初期状態である場合には（ステップＳ２０１；初期状態）、動作モード切替部７０は、エンジン部２５の動作モードを通常モードに切り替え（ステップＳ２０２）、ステップＳ２０３へ移行する。
【０１０３】
エンジン部２５の現状の動作モードが故障モードである場合には（ステップＳ２０１；故障モード）、動作モード切替部７０は、エンジン部２５の動作モードを通常モードに切り替え（ステップＳ２０２）、ステップＳ２０３へ移行する。
【０１０４】
ステップＳ２０３では、動作モード切替部７０は、画像経路管理部６８に対して通常モードでの動作指示を送信する。画像経路管理部６８は、この動作モード切替部７０の指示に従い、画像経路切替部３０を制御して通常モードに対応する第１経路に切り替える。すなわち（図２参照）、スキャナ部２９から出力された画像データ（画像信号ａ）を第１画像処理部３１に入力し（画像信号ｂ）、その出力（画像信号ｃ）を第２画像処理部３２に入力し、その出力（画像信号ｅ）をプリンタ部３３に入力する経路に切り替える（ステップＳ２０３）。
【０１０５】
さらに動作モード切替部７０は、ユーザインタフェース管理部６９に対して通常モードでの動作指示を送信する。ユーザインタフェース管理部６９は、この動作モード切替部７０の指示に従い、ユーザインタフェース切替部３４を制御してユーザインタフェース部３５の制御元を制御部２１に切り替える（ステップＳ２０４）。
【０１０６】
さらに動作モード切替部７０は、コピー動作制御部６７およびユーザインタフェース制御部６４を無効化し（ステップＳ２０５）、本動作を終了する（Ｅｎｄ）。この状態では、ユーザインタフェース部３５は制御部２１によって制御される。
【０１０７】
エンジン部２５の現状の動作モードが通常モードである場合には（ステップＳ２０１；通常モード）、動作モード切替部７０は、その通常モードの状態を維持したまま、本動作を終了する（Ｅｎｄ）。通常モードの状態とは、上記の画像データ（画像信号）の経路が第１経路にされた状態、コピー動作制御部６７およびユーザインタフェース制御部６４を無効化した状態、ユーザインタフェース部３５が制御部２１によって制御される状態である。
【０１０８】
図８は、エンジン部２５における動作モード切替部７０の故障モード移行動作（モード移行通知（故障）受信処理）の流れを示す図である。動作モード切替部７０は、制御部監視部６６からモード移行通知（故障）を受信すると本動作を開始する。
【０１０９】
動作モード切替部７０は、本動作を開始すると（Ｓｔａｒｔ）、エンジン部２５の現状の動作モードを確認する（ステップＳ３０１）。
【０１１０】
複合機１０の電源投入直後などでエンジン部２５が初期状態である場合には（ステップＳ３０１；初期状態）、動作モード切替部７０は、エンジン部２５の動作モードを故障モードに切り替え（ステップＳ３０２）、ステップＳ３０３へ移行する。
【０１１１】
エンジン部２５の現状の動作モードが通常モードである場合には（ステップＳ３０１；通常モード）、動作モード切替部７０は、エンジン部２５の動作モードを故障モードに切り替え（ステップＳ３０２）、ステップＳ３０３へ移行する。
【０１１２】
ステップＳ３０３では、動作モード切替部７０は、画像経路管理部６８に対して故障モードでの動作指示を送信する。画像経路管理部６８は、この動作モード切替部７０の指示に従い、画像経路切替部３０を制御して故障モードに対応する第２経路に切り替える。すなわち（図２参照）、スキャナ部２９から出力された画像データ（画像信号ａ）を第２画像処理部３２に入力し（画像信号ｄ）、その出力（画像信号ｅ）をプリンタ部３３に入力する経路に切り替える（ステップＳ３０３）。
【０１１３】
さらに動作モード切替部７０は、ユーザインタフェース管理部６９に対して故障モードでの動作指示を送信する。ユーザインタフェース管理部６９は、この動作モード切替部７０の指示に従い、ユーザインタフェース切替部３４を制御してユーザインタフェース部３５の制御元をエンジン部２５に切り替える（ステップＳ３０４）。
【０１１４】
さらに動作モード切替部７０は、コピー動作制御部６７およびユーザインタフェース制御部６４を有効化し（ステップＳ３０５）、本動作を終了する（Ｅｎｄ）。この状態では、ユーザインタフェース部３５はエンジン部２５のユーザインタフェース制御部６４によって制御される。
【０１１５】
エンジン部２５の現状の動作モードが故障モードである場合には（ステップＳ３０１；故障モード）、動作モード切替部７０は、その故障モードの状態を維持したまま、本動作を終了する（Ｅｎｄ）。故障モードの状態とは、上記の画像データ（画像信号）の経路が第２経路にされた状態、コピー動作制御部６７およびユーザインタフェース制御部６４を有効化した状態、ユーザインタフェース部３５がエンジン部２５のユーザインタフェース制御部６４によって制御される状態である。
【０１１６】
図９は、複合機１０のエンジン部２５による制御部２１からのコマンド受信時の動作の流れを示す図である。エンジン部２５は、制御部２１からコピー動作に係るコマンドを受信すると本動作を開始する。
【０１１７】
エンジン部２５は、本動作を開始すると（Ｓｔａｒｔ）、コピー動作制御部６７が無効であるか否かを確認する（ステップＳ４０１）。
【０１１８】
コピー動作制御部６７が無効である場合には（ステップＳ４０１；Ｙｅｓ）、制御部２１から受信したコマンドの種類を確認する（ステップＳ４０２）。コマンドの種類がスキャン要求である場合には（ステップＳ４０２；スキャン要求）、エンジン部２５は、スキャナ部２９を制御してスキャン処理を実行する（ステップＳ４０３）。
【０１１９】
スキャナ部２９によるスキャン処理が完了すると、エンジン部２５はスキャン完了通知を制御部２１に送信し（ステップＳ４０４）、本動作を終了する（Ｅｎｄ）。
【０１２０】
制御部２１から受信したコマンドの種類が給紙要求である場合には（ステップＳ４０２；給紙要求）、エンジン部２５は、プリンタ部３３の給紙搬送装置を制御して給紙処理を実行する（ステップＳ４０５）。
【０１２１】
プリンタ部３３の給紙搬送装置による給紙処理が完了すると、エンジン部２５は給紙完了通知を制御部２１に送信し（ステップＳ４０６）、本動作を終了する（Ｅｎｄ）。
【０１２２】
制御部２１から受信したコマンドの種類がプリント要求である場合には（ステップＳ４０２；プリント要求）、エンジン部２５は、プリンタ部３３を制御してプリント処理を実行する（ステップＳ４０７）。
【０１２３】
プリンタ部３３によるプリント処理が完了すると、エンジン部２５はプリント完了通知を制御部２１に送信し（ステップＳ４０８）、本動作を終了する（Ｅｎｄ）。
【０１２４】
コピー動作制御部６７が有効である場合には（ステップＳ４０１；Ｎｏ）、エンジン部２５は上記のコピー動作に係る処理など（ステップＳ４０２〜ステップＳ４０８）を行わず、エラー通知を制御部２１に送信し（ステップＳ４０９）、本動作を終了する（Ｅｎｄ）。
【０１２５】
なお、コピー動作制御部６７が有効であるときは、制御部２１が動作異常の場合である。この状態で制御部２１がエラー通知を受信して正しく判断できるか否かは定かではないが、ここでは、エンジン部２５が制御部２１に対してエラー通知を送信するようにしている。また、この状態で制御部２１からエンジン部２５が受信したコマンドは、コンピュータウイルスによる不正なコマンドの可能性が高い。そこで、本例ではエンジン部２５がこのコマンドを無視して処理を行わず、制御部に対してエラー通知を送信するようにしている。
【０１２６】
図１０は、複合機１０のエンジン部２５による原稿有り通知受信時の動作の流れを示す図である。複合機１０のスキャナ部２９は、原稿がセットされことを原稿センサで検知するとエンジン部２５に原稿有り通知を送信する。エンジン部２５は、スキャナ部２９から原稿有り通知を受信すると本動作を開始する。
【０１２７】
エンジン部２５は、本動作を開始すると（Ｓｔａｒｔ）、コピー動作制御部６７が有効であるか否かを確認する（ステップＳ５０１）。
【０１２８】
コピー動作制御部６７が無効である場合には（ステップＳ５０１；Ｎｏ）、エンジン部２５は原稿がセットされたことを示す原稿セット通知を制御部２１に送信し（ステップＳ５０２）、本動作を終了する（Ｅｎｄ）。なお、コピー動作制御部６７が無効であるときは、制御部２１が動作正常の場合である。
【０１２９】
コピー動作制御部６７が有効である場合には（ステップＳ５０１；Ｙｅｓ）、エンジン部２５は、制御部２１からコピー動作に係るコマンドを受信することなく、スキャナ部２９を制御してスキャン処理を実行し（ステップＳ５０３）、プリンタ部３３の給紙搬送装置を制御して給紙処理を実行し（ステップＳ５０４）、プリンタ部３３を制御してプリント処理を実行し（ステップＳ５０５）、本動作を終了する（Ｅｎｄ）。
【０１３０】
図１１は、複合機１０による制御部２１の動作正常時のコピー動作のシーケンスを示す図である。本シーケンスは、図９で説明したエンジン部２５の動作におけるコピー動作制御部６７が無効の場合（制御部２１の動作正常時）のコピー動作を、複合機１０の各ブロックによるシーケンスで示したものである。ここでは、そのシーケンスに沿って概要のみを説明する。
【０１３１】
スキャナ部２９は、原稿がセットされことを原稿センサで検知すると、原稿有り通知をエンジン部２５に送信する（Ｐ１）。エンジン部２５は、本通知を受信すると原稿セット通知を制御部２１に送信する（Ｐ２）。制御部２１は、本通知の受信後にコピー開始トリガとなるスタートキーの押下をユーザから受けると、スキャン要求をエンジン部２５に送信する（Ｐ３）。
【０１３２】
エンジン部２５は、スキャン要求を受信するとスキャナ部２９を制御してスキャン処理を実行する（Ｐ４）。スキャナ部２９からスキャン完了通知を受信すると（Ｐ５）、その通知を制御部２１に送信する（Ｐ６）。
【０１３３】
制御部２１は、スキャン完了通知を受信すると第１画像処理部３１に対して各種画像処理制御を実行する（Ｐ７）。第１画像処理部３１から画像処理完了通知を受信すると（Ｐ８）、給紙要求をエンジン部２５に送信する（Ｐ９）。
【０１３４】
エンジン部２５は、給紙要求を受信するとプリンタ部３３の給紙搬送装置を制御して給紙処理を実行する（Ｐ１０）。プリンタ部３３から給紙完了通知を受信すると（Ｐ１１）、その通知を制御部２１に送信する（Ｐ１２）。
【０１３５】
制御部２１は、給紙完了通知を受信するとプリント要求をエンジン部２５に送信する（Ｐ１３）。
【０１３６】
エンジン部２５は、プリント要求を受信すると第２画像処理部３２に対してビデオ出力変換制御を実行する（Ｐ１４）。第２画像処理部３２からビデオ出力変換完了通知を受信すると（Ｐ１５）、エンジン部２５はプリンタ部３３を制御してプリント処理を実行する（Ｐ１６）。プリンタ部３３からプリント完了通知を受信すると（Ｐ１７）、エンジン部２５はその通知を制御部２１に送信する（Ｐ１８）。以上が複合機１０による制御部２１の動作正常時のコピー動作シーケンスの概要である。
【０１３７】
図１２は、複合機１０による制御部２１の動作異常時のコピー動作のシーケンスを示す図である。本シーケンスは、図１０で説明したエンジン部２５の動作におけるコピー動作制御部６７が有効の場合（制御部２１の動作異常時）のコピー動作を、複合機１０の各ブロックによるシーケンスで示したものである。ここでは、そのシーケンスに沿って概要のみを説明する。なお、図中では異常の発生によって動作不能となっている制御部２１を「故障中」として示している。この状態では、制御部２１とエンジン部２５の間でコマンド通信は行われない。
【０１３８】
スキャナ部２９は、原稿がセットされことを原稿センサで検知すると、原稿有り通知をエンジン部２５に送信する（Ｐ２１）。エンジン部２５は、本通知を受信するとスキャナ部２９を制御してスキャン処理を実行する（Ｐ２２／スキャン自動開始）。エンジン部２５は、スキャナ部２９からスキャン完了通知を受信すると（Ｐ２３）、第２画像処理部３２に対してビデオ出力変換制御を実行する（Ｐ２４）。エンジン部２５は、第２画像処理部３２からビデオ出力変換完了通知を受信すると（Ｐ２５）、プリンタ部３３の給紙搬送装置を制御して給紙処理を実行する（Ｐ２６）。エンジン部２５は、プリンタ部３３から給紙完了通知を受信すると（Ｐ２７）、プリンタ部３３を制御してプリント処理を実行する（Ｐ２８）。そしてエンジン部２５は、プリンタ部３３からプリント完了通知を受信する（Ｐ２９）。以上が複合機１０による制御部２１の動作異常時のコピー動作シーケンスの概要である。
【０１３９】
また、複合機１０のエンジン部２５は、制御部２１の動作異常によって故障モードへ移行すると、ユーザインタフェース制御部６４がユーザインタフェース部３５を制御して、ユーザインタフェース部３５の表示部３６に簡易コピー通知画面（異常発生通知画面）を表示する。図１３は、この簡易コピー通知画面８０の一例を示す図である。
【０１４０】
簡易コピー通知画面８０には、ユーザに対して複合機１０が異常であるため簡易コピー動作のみ実行可能である旨を報知するメッセージ８１と、その簡易コピー動作の処理条件（初期設定）８２が表示される。
【０１４１】
メッセージ８１は、ユーザに報知する情報（提供情報）を文章で示した文章情報（文字情報）である。メッセージ８１には、たとえば図示のように、異常発生状態であることを示す「現在、プログラム異常により、」などの文章と、簡易コピー動作のみ実行可能であることを示す「下記設定でのコピー動作のみ実行できます。」などの文章と、コピーの開始方法を示す「原稿をセットすると、自動的にコピー開始します。」などの文章と、簡易コピー動作におけるコピー画像の画質および動作速度が通常コピー動作よりも低下すること示す「※通常時に比べ、画質やコピー速度は低下します。」などの文章が含まれている。
【０１４２】
処理条件８２は、簡易コピー動作によるコピージョブの処理条件として、複合機１０に予め設定されている処理条件である。処理条件８２には、たとえば図示のように、「用紙トレイ（記録紙サイズ）：Ａ４」、「倍率：等倍」、「カラー：モノクロ」、「両面：なし（片面のみ）」、「Ｎｉｎ１：なし（１ｉｎ１のみ）」、「部数：１」などの各項目における個々の処理条件が含まれている。
【０１４３】
複合機１０は、故障モード時は表示部３６に上記例の簡易コピー通知画面８０を表示し、スキャナ部２９に原稿がセットされるとその原稿に対する簡易コピー動作を自動的に開始して実行する。
【０１４４】
このように、本実施形態に係る複合機１０では、エンジン部２５は、制御部２１の動作正常（制御部２１へのチャレンジコマンド送信に対するレスポンス有り）が確認された場合には、自身の動作モードを制御部２１による制御を受けて動作する通常モードに切り替える。通常モードでは、エンジン部２５は画像経路切替部３０を制御し、スキャナ部２９から出力された画像データを、第１画像処理部３１および第２画像処理部３２を経てプリンタ部３３に入力する第１経路に切り替える。この場合は、制御部２１は第１画像処理部３１およびエンジン部２５を制御し、エンジン部２５がスキャナ部２９、第２画像処理部３２、プリンタ部３３を制御して、原稿の画像を複写する通常コピー動作を実行する。
【０１４５】
またエンジン部２５は、制御部２１の動作異常（制御部２１へのチャレンジコマンド送信に対するレスポンス無し）が確認された場合には、自身の動作モードを制御部２１による制御を受けずに動作する故障モードに切り替える。故障モードでは、エンジン部２５は画像経路切替部３０を制御し、スキャナ部２９から出力された画像データを、第２画像処理部３２のみを経てプリンタ部３３に入力する第２経路に切り替え、エンジン部自身（コピー動作制御部６７）によるスキャナ部２９、第２画像処理部３２、プリンタ部３３に対する制御（単独動作）で原稿の画像を複写する簡易コピー動作を実行する。
【０１４６】
これにより、制御部２１に異常が発生した場合に、第１画像処理部３１による画像処理は省略されるものの、エンジン部２５単独でコピー動作を実行し、原稿のコピーを行うことができる。
【０１４７】
特に、オフィスに１台しか設置されていない複合機がウイルス感染などによって制御部を正常に動作できなくなってしまったような場合（制御部の起動不能状態）や、オフィスに設置されている全ての複合機が同様の状態になってしまったような場合、あるいは、近所に１軒しかないコンビニエンス・ストアにコピーサービスを利用しに来たが複合機（コピー機）の制御部に異常が発生しているような場合でも、ユーザは、機能制限は受けるものの簡易的にコピーを行うことができる。
【０１４８】
したがって、複合機１０の制御部２１が異常であっても原稿のコピーを行いたいユーザに対する利便性を向上することができる。
【０１４９】
また、制御部２１の動作状態を監視する監視部（制御部監視部６６）をエンジン部２５が備えてその監視を直接的に行うことにより、制御部２１の動作状態に応じたエンジン部２５による制御（動作モードの切り替えなど）を迅速化することができる。
【０１５０】
また本実施形態では、エンジン部２５のプログラムが制御部２１用のオペレーティングシステムとは異なる種類のオペレーティングシステム上で動作するプログラムであることにより、制御部２１のプログラムやオペレーティングシステムがコンピュータウイルスに感染した場合に、エンジン部２５のプログラムやオペレーティングシステムがそのコンピュータウイルスに感染する危険性を低下することができる。これにより、制御部２１のウイルス感染による動作異常時にエンジン部２５をそのウイルス感染から保護して正常に動作させることができる。特に、エンジン部２５のオペレーティングシステムを、汎用ではなく専用のオペレーティングシステムとした場合には、ウイルス感染の危険性をより低下することができて好適である。
【０１５１】
また本実施形態では、スキャナ部２９に対する原稿のセットの有無を検知する原稿センサ（検知部）を備えており、エンジン部２５は、故障モード時には原稿センサで原稿のセット有りが検知されると簡易コピー動作を開始する。このように、スキャナ部２９に原稿をセットするだけでエンジン部２５が自動的に簡易コピー動作を開始するため、仮に操作部３７が動作しなくても（制御部２１による制御不能状態であっても）コピー可能である。
【０１５２】
また本実施形態では、制御部２１の動作正常時（エンジン部２５の通常モード時）には制御部２１が表示部３６を制御することで、表示部３６を正常に動作させることができる。制御部２１の動作異常時（故障モード時）にはエンジン部２５が表示部３６を制御することで、表示部３６を正常に動作させることができる。このように、制御部２１の動作異常時でも表示部３６が動作することで、利便性が向上する。さらに、表示部３６を通じて複合機１０が異常である旨などをユーザに報知することもできる。また、制御部２１の動作異常時のみエンジン部２５が表示部３６を制御することで、制御部２１の動作正常時におけるエンジン部２５の制御負荷を低減することができる。
【０１５３】
制御部２１の動作異常時（エンジン部２５の故障モード時）に表示部３６に表示される簡易コピー通知画面８０には、異常発生状態であることが表示されるため、ユーザは複合機１０に異常が発生していることを容易に把握することができる。また同画面には、現在実行できるコピー動作（簡易コピー動作）の処理条件が表示されるため、ユーザはその処理条件を把握した上でコピーを利用することができる。さらに同画面には、現在実行できるコピー動作（簡易コピー動作）におけるコピー画像の画質や動作速度が通常のコピー動作（通常コピー動作）よりも低下することが表示されるため、ユーザはそのコピー画像の画質や動作速度の低下を把握した上でコピーを利用することができる。
【０１５４】
［第２の実施形態］
第１の実施形態では、複合機１０における制御部２１の動作異常時にコピーを行う場合に、スキャナ部２９に原稿をセットするだけで簡易コピー動作が開始される例を説明したが、第２の実施形態では、ユーザの操作によって簡易コピー動作が開始される例を説明する。ここでは、表示部３６に表示される簡易コピー通知画面に、コピー動作開始用の操作部（第２動作モード用操作部）としての機能を果たすボタン（ソフトキー）を表示することにより、ユーザ操作による開始指示を受け付け可能とした例で説明する。
【０１５５】
図１４は、第２の実施形態に係る簡易コピー通知画面９０の一例を示す図である。
【０１５６】
簡易コピー通知画面９０には、ユーザに対して複合機１０が異常であるため簡易コピー動作のみ実行可能である旨を報知するメッセージ９１と、その簡易コピー動作の処理条件（初期設定）９２と、コピー動作の開始操作（開始指示）を受け付けるＳＴＡＲＴボタン９３とが表示される。
【０１５７】
メッセージ９１には、たとえば図示のように、コピーの開始方法を示す情報として、「画面上のＳＴＡＲＴボタンを押すと、コピー開始します。」などの文章が含まれている。他の情報としては、第１の実施形態で説明した文章と同じ文章などが含まれている。処理条件９２は、第１の実施形態で説明した処理条件８２と同じ処理条件である。
【０１５８】
これにより、本実施形態では、制御部２１の動作異常時に複合機１０でコピーを行いたいユーザは、スキャナ部２９に原稿をセットし、上記の簡易コピー通知画面９０に表示されているＳＴＡＲＴボタン９３を押下することで、機能制限は受けるものの簡易的にコピーを行うことができる。
【０１５９】
以上、本発明の実施形態を図面によって説明してきたが、具体的な構成は実施形態に示したものに限られるものではなく、本発明の要旨を逸脱しない範囲における変更や追加があっても本発明に含まれる。
【０１６０】
実施形態では、第１経路は、スキャナ部２９から出力された画像データが第１画像処理部３１および第２画像処理部３２を経てプリンタ部３３に入力される構成とし、第２経路は、スキャナ部２９から出力された画像データが第２画像処理部３２のみを経てプリンタ部３３に入力される構成としているが、この画像データの経路は他の構成であってもよい。たとえば、第１経路は、スキャナ部２９から出力された画像データが第１画像処理部３１のみを経てプリンタ部３３に入力される構成としてもよい。この場合には、第１画像処理部３１は、第２画像処理部３２が有している画像処理の機能を備えるように構成してもよい。
【０１６１】
また、第１経路は、スキャナ部２９から出力された画像データが実施形態で説明した第１画像処理部３１および第２画像処理部３２、または、単一の画像処理部を経てプリンタ部３３に入力される構成とし、第２経路は、スキャナ部２９から出力された画像データがそれらの画像処理部を経ずにプリンタ部３３に入力される構成としてもよい。
【０１６２】
実施形態で説明した複合機１０は、スキャナ部２９から出力される画像データ（画像信号）の形式と、プリンタ部３３へ入力される画像データ（画像信号）の形式が異なる構成であるため、画像データのデータ形式を変換するデータ変換の画像処理が必要となっているが、このデータ変換の画像処理が不要となる構成であれば、上記の第１経路および第２経路が構成可能である。また、データ変換の画像処理が必要な場合でも、その機能をプリンタ部３３に備えることで、上記の第１経路および第２経路を構成することも可能である。
【０１６３】
実施形態では、第１画像処理部３１は入力された画像データに対して、画像の回転、画像の拡大／縮小、画像の画質補正などの付加価値を与える画像処理（第１画像処理）を実行して出力する機能を備え、第２画像処理部３２は入力された画像データに対して、データ形式をプリンタ部３３の入力に適合するデータ形式に変換するなどの画像処理（第２画像処理）を実行して出力する機能を備えた構成としているが、第１画像処理部３１と第２画像処理部３２における画像処理の機能の分担はこれに限らない。第１画像処理部３１における画像処理の機能の一部を第２画像処理部３２に備えるように構成してもよい。たとえば、故障モードによる簡易コピー動作においても画像の拡大／縮小機能を提供する場合には、その画像の拡大／縮小を行う画像処理の機能を第２画像処理部３２に備える構成としてもよい。
【０１６４】
実施形態では、制御部２１の動作状態を監視する監視部をエンジン部２５の内部に設けた構成としているが（制御部監視部６６）、この監視部はエンジン部２５の外部に設ける構成としてもよい。
【０１６５】
エンジン部２５のプログラムは、オペレーティングシステム上で動作する場合を例に説明したが、オペレーティングシステムを介さずに動作するプログラムであってもよい。このようなオペレーティングシステム無しで動作するプログラムの場合にも、制御部２１のプログラムやオペレーティングシステムがコンピュータウイルスに感染した場合に、エンジン部２５のプログラムがそのコンピュータウイルスに感染する危険性を低下することができる。また、エンジン部２５用のオペレーティングシステムが不要であるためエンジン部２５の制御システムの構成を簡素化することができる。
【０１６６】
第２の実施形態では、制御部２１の動作異常時におけるコピー動作開始用の操作部を、簡易コピー通知画面９０にソフトキー（ＳＴＡＲＴボタン９３）として設ける場合を例に説明したが、この制御部２１の動作異常時におけるコピー動作開始用の操作部は、ユーザインタフェース部３５の操作部３７に含まれるハードキーで構成するようにしてもよい。
【０１６７】
実施形態では、制御部２１の動作異常時はエンジン部２５のユーザインタフェース制御部６４がユーザインタフェース部３５の操作部３７におけるタッチパネルを制御し、ハードキーは制御対象外とする構成としているが、このハードキーも制御する構成とすることにより、上記の制御部２１の動作異常時におけるコピー動作開始用の操作部をハードキーで構成することができる。このようなハードキーで構成する場合には、制御部２１の動作正常時におけるコピー動作開始用のスタートキーを兼用するようにしてもよく、他のハードキー（専用のハードキーなど）を用いるようにしてもよい。
【０１６８】
また、制御部２１の動作異常時に受け付ける操作は、コピー動作の開始操作に限らない。コピー動作の処理条件の設定操作などを受け付ける構成としてもよい。この場合は、第１画像処理部３１による画像処理を省略しても提供できる機能、たとえば、記録紙サイズ（用紙トレイ）の変更や部数の変更などの機能をエンジン部２５単独で提供するように構成し、その機能（項目）に関する設定操作を受け付ける構成としてもよい。
【０１６９】
また、本発明は実施形態で説明した複合機に限らず、複写機などの他の画像形成装置にも適用することができる。
【符号の説明】
【０１７０】
２…通信回線
１０…複合機（ＭＦＰ１）
１１…端末（ＰＣ）
１２…ファクシミリ機（ＦＡＸ）
１３…複合機（ＭＦＰ２）
２１…制御部
２２…ＣＰＵ
２３…ＲＯＭ
２４…ＲＡＭ
２５…エンジン部
２６…ＣＰＵ
２７…ＲＯＭ
２８…ＲＡＭ
２９…スキャナ部
３０…画像経路切替部
３１…第１画像処理部
３２…第２画像処理部
３３…プリンタ部
３４…ユーザインタフェース切替部
３５…ユーザインタフェース部
３６…表示部
３７…操作部
５１…拡大／縮小部
５２…レイアウト部
５３…回転部
５４…ガンマ補正部
５５…エッジ補正部
５６…色調補正部
５７…図形描画部
５８…文字処理部
５９…スクリーン処理部
６０…ビデオ出力変換部
６１…プリンタ制御部
６２…スキャナ制御部
６３…画像処理制御部
６４…ユーザインタフェース制御部
６５…コマンド通信処理部
６６…制御部監視部
６７…コピー動作制御部
６８…画像経路管理部
６９…ユーザインタフェース管理部
７０…動作モード切替部
８０…簡易コピー通知画面
８１…メッセージ
８２…処理条件
９０…簡易コピー通知画面
９１…メッセージ
９２…処理条件
９３…ＳＴＡＲＴボタン
ａ…画像信号
ｂ…画像信号
ｃ…画像信号
ｄ…画像信号
ｅ…画像信号
【図１】
2011082814.tif 000003
【図２】
2011082814.tif 000004
【図３】
2011082814.tif 000005
【図４】
2011082814.tif 000006
【図５】
2011082814.tif 000007
【図６】
2011082814.tif 000008
【図７】
2011082814.tif 000009
【図８】
2011082814.tif 000010
【図９】
2011082814.tif 000011
【図１０】
2011082814.tif 000012
【図１１】
2011082814.tif 000013
【図１２】
2011082814.tif 000014
【図１３】
2011082814.tif 000015
【図１４】
2011082814.tif 000016